(57)【特許請求の範囲】
【請求項１】
第１の回転体と、前記第１の回転体と一緒に回転する回転力の入力側となる第２の回転体と、前記第１の回転体と前記第２の回転体の双方に形成された透光路と、前記第１の回転体の透光路と前記第２の回転体の透光路の双方を通過した光を検出する検出手段とを有し、
前記第１の回転体と前記第２の回転体は所定の余裕角度範囲内で相対的に回動可能であり、
前記第２の回転体に回転力が入力しこの第２の回転体と前記第１の回転体とが前記回転入力方向へ一緒に回転しているときには、前記第１の回転体の透光路と前記第２の回転体の透光路とが重なって前記検出手段で光を検出することが可能であり、
前記第２の回転体への前記回転力の入力が断たれて、前記第１の回転体が前記回転入力方向への慣性力によって回転し続けるときに、前記第２の回転体が前記第１の回転体に対して前記余裕角度範囲内で第１の回転体の回転方向と逆方向へ相対的に回動し、前記第１の回転体の透光路と前記第２の回転体の透光路との位置がずれて前記検出手段に至る前記光が遮断されることを特徴とする回転検出装置。
【請求項２】
前記第１の回転体には前記慣性力を発揮する負荷が接続されている請求項１記載の回転検出装置。
【請求項３】
前記第１の回転体に回転力を与えるモータが設けられており、このモータにより前記第１の回転体に回転抵抗力または第２の回転体に入力される回転力の回転方向と逆方向の回転力が与えられるものであり、前記モータが前記回転抵抗力または前記逆方向の回転力を発揮していないときに、前記モータのロータの質量により前記第１の回転体に前記慣性力が与えられる請求項２記載の回転検出装置。
【請求項４】
第１の回転体と、前記第１の回転体と一緒に回転する回転力の入力側となる第２の回転体と、前記第１の回転体と前記第２の回転体の双方に形成された透光路と、前記第１の回転体の透光路と前記第２の回転体の透光路の双方を通過した光を検出する検出手段とを有し、
前記第１の回転体と前記第２の回転体は所定の余裕角度範囲内で相対的に回動可能であり、
前記第２の回転体に回転力が入力しこの第２の回転体と前記第１の回転体とが前記回転入力方向へ一緒に回転しているときには、前記第１の回転体の透光路と前記第２の回転体の透光路とが重なって前記検出手段で光を検出することが可能であり、
前記第２の回転体へ前記入力方向と逆向きの回転力が与えられて、前記第２の回転体が前記第１の回転体に対して前記余裕角度範囲内で第１の回転体の回転方向と逆方向へ相対的に回動したときに、前記第１の回転体の透光路と前記第２の回転体の透光路との位置がずれて前記検出手段に至る前記光が遮断されることを特徴とする回転検出装置。
【請求項５】
前記第２の回転体に回転力を与えるハンドルが設けられ、前記第１の回転体と前記第２の回転体が一緒に回転して、前記透光路を通過した光が前記検出手段で検出されるときに、前記第１の回転体と第２の回転体の回転速度に応じて変化する前記検出手段からの光検出信号により、ゲームソフトへのコントロール入力が行われる請求項１ないし４のいずれかに記載の回転検出装置。
【発明の詳細な説明】
【０００１】
【発明の属する技術分野】
本発明は、光の透過により回転動作を検出する回転検出装置に係り、特に誤検出を防止することができる回転検出装置に関する。
【０００２】
【従来の技術】
図１０は、従来の光学式の回転検出装置５０を示す分解斜視図である。
【０００３】
回転検出装置５０には、回転体５１とベース５２とハンドル５３と検出手段としてのセンサ５４と、負荷手段としてのモータＭ及び減速歯車列Ｇとが設けられている。
【０００４】
回転体５１は、ディスク５１ａと軸突起５１ｂとからなり、軸突起５１ｂはディスク５１ａの回転中心部分に形成されている。ディスク５１ａには、その周囲に歯車Ｇ５が形成され、軸突起５１ｂは、その中心に貫通孔５１ｃが形成されている。またディスク５１ａには、一面側から他面側へと貫通する複数の透光路（スリット）５１ｄが形成されている。各透光路５１ｄは、いずれも均一な形状であり且つそれぞれが等間隔に形成されている。ベース５２は、支持板５２ａに支持軸５２ｂが回転体５１側に突出して形成されている。センサ５４は、発光素子からなる発光部５４ａと受光素子からなる受光部５４ｂとで構成されている。
【０００５】
上記した回転検出装置５０では、ベース５２の支持軸５２ｂに前記軸突起５１ｂが挿通されて、回転体５１がベース５２に対して回転自在に支持されている。軸突起５１ｂにはハンドル５３が設けられており、回転体５１と一体に回転させられる。回転体５１にはセンサ５４が設けられており、透光路５１ｄの一面側に発光部５４ａ、そして他面側に受光部５４ｂが配置されている。またモータＭには減速歯車列Ｇの一端が接続され、他端には前記回転体５１の歯車Ｇ５が接続されている。
【０００６】
上記の回転検出装置５０は、例えば魚釣りゲーム用のコントローラとして使用することができ、ハンドル５３を一方向（正転方向）へ回転させたときに擬似的につり糸を巻くことができるように設定されている。またハンドル５３の回転操作時にモータＭのコイルを短絡させたときにハンドル５３に回転抵抗力が与えられるようになっている。
【０００７】
【発明が解決しようとする課題】
しかしながら、上記した従来の回転検出装置５０は、ハンドル５３が正転方向とは逆方向に回転させられた場合に回転体５１が回転させられてセンサ５４によって回転信号が検出されるといった問題がある。
【０００８】
そこで、ハンドル５３が逆方向へ回転したときに回転体５１が回転するのを防止するための逆回転防止用のクラッチ（一方向回転クラッチ）が設けられているものがある。しかし、ハンドルが逆回転させられてセンサ５４によって回転信号が誤って検出されてしまうといった問題は防止できるものの、ハンドル５３による正転方向への回転入力が中断させられた場合に、モータＭのロータの質量によって生じる慣性力などによって回転体５１が回転し続け、ハンドル５３が停止しているにも拘わらずセンサ５４では回転信号が誤って検出される問題がある。
【０００９】
本発明は、上記課題を解決するためになされたものであり、ハンドル停止時の回転体の慣性力などによるセンサの誤検出を防止することができる回転検出装置を提供することを目的とする。
【００１０】
また本発明は、ハンドルが逆回転可能なタイプであってハンドルが逆回転させられた場合であっても逆転方向への入力を無効にすることができる回転検出装置を提供することを目的としている。
【００１１】
【課題を解決するための手段】
本発明は、第１の回転体と、前記第１の回転体と一緒に回転する回転力の入力側となる第２の回転体と、前記第１の回転体と前記第２の回転体の双方に形成された透光路と、前記第１の回転体の透光路と前記第２の回転体の透光路の双方を通過した光を検出する検出手段とを有し、
前記第１の回転体と前記第２の回転体は所定の余裕角度範囲内で相対的に回動可能であり、
前記第２の回転体に回転力が入力しこの第２の回転体と前記第１の回転体とが前記回転入力方向へ一緒に回転しているときには、前記第１の回転体の透光路と前記第２の回転体の透光路とが重なって前記検出手段で光を検出することが可能であり、
前記第２の回転体への前記回転力の入力が断たれて、前記第１の回転体が前記回転入力方向への慣性力によって回転し続けるときに、前記第２の回転体が前記第１の回転体に対して前記余裕角度範囲内で第１の回転体の回転方向と逆方向へ相対的に回動し、前記第１の回転体の透光路と前記第２の回転体の透光路との位置がずれて前記検出手段に至る前記光が遮断されることを特徴とするものである。
【００１２】
上記手段により、第２の回転体への入力が断たれて第１の回転体が慣性力によって回転させられたとしても直ちに透光路が閉じられて光が遮断されるため、検出手段における誤検出が防止される。すなわち、第１の回転体が慣性力によって回転させられたときには、第１の回転体の透光路と第２の回転体の透光路とが重ならない方向へと相対的に回動させられることによって発光部から発せられた光が受光部へ伝達されなくなり、回転入力が断たれているにも拘わらず回転信号が出力されるといった誤検出が防止される。
【００１３】
また本発明では、前記第１の回転体には前記慣性力を発揮する負荷が接続されていることが好ましい。
【００１４】
また本発明は、前記第１の回転体に回転力を与えるモータが設けられており、このモータにより前記第１の回転体に回転抵抗力または第２の回転体に入力される回転力の回転方向と逆方向の回転力が与えられるものであり、前記モータが前記回転抵抗力または前記逆方向の回転力を発揮していないときに、前記モータのロータの質量により前記第１の回転体に前記慣性力が与えられるものとして構成することができる。
【００１５】
例えば、前記モータのコイルを短絡させることによりモータに前記回転抵抗力を生じさせる回転負荷を発生させることができる。あるいは前記モータに、逆転方向の通電を行うことにより、第１の回転体に逆向きの回転力が与えられる。この場合に、前記モータのコイルを短絡させず、または逆転用の通電が行われないときに前記モータのロータが前記慣性力を発揮するようになる。
【００１６】
上記により、例えば魚釣り用のゲームコントローラとして使用した場合に、糸を擬似的に巻き取るときの操作者の手にかかる負荷に変化を与えることができ、ゲームをよりリアルに表現することが可能になる。
【００１７】
また本発明は、第１の回転体と、前記第１の回転体と一緒に回転する回転力の入力側となる第２の回転体と、前記第１の回転体と前記第２の回転体の双方に形成された透光路と、前記第１の回転体の透光路と前記第２の回転体の透光路の双方を通過した光を検出する検出手段とを有し、
前記第１の回転体と前記第２の回転体は所定の余裕角度範囲内で相対的に回動可能であり、
前記第２の回転体に回転力が入力しこの第２の回転体と前記第１の回転体とが前記回転入力方向へ一緒に回転しているときには、前記第１の回転体の透光路と前記第２の回転体の透光路とが重なって前記検出手段で光を検出することが可能であり、
前記第２の回転体へ前記入力方向と逆向きの回転力が与えられて、前記第２の回転体が前記第１の回転体に対して前記余裕角度範囲内で第１の回転体の回転方向と逆方向へ相対的に回動したときに、前記第１の回転体の透光路と前記第２の回転体の透光路との位置がずれて前記検出手段に至る前記光が遮断されることを特徴とするものである。
【００１８】
上記手段により、逆回転防止用のクラッチが設けられておらず第２の回転体が逆回転可能であっても、第２の回転体に逆向きの回転力が与えられた場合に直ちに第１の回転体と第２の回転体とが相対的に各透光路が遮断される方向へと回転させられて、検出手段による誤検出が防止される。
【００１９】
また本発明は、前記第２の回転体に回転力を与えるハンドルが設けられ、前記第１の回転体と前記第２の回転体が一緒に回転して、前記透光路を通過した光が前記検出手段で検出されるときに、前記第１の回転体と第２の回転体の回転速度に応じて変化する前記検出手段からの光検出信号により、ゲームソフトへのコントロール入力が行われることが好ましい。
【００２０】
すなわち、第１の回転体と第２の回転体との回転速度に応じて透光路を通過する光の明滅の変化を検出し、ハンドル操作時の回転量や回転速度がコントロールされる。これにより例えば魚釣り用のゲームコントローラとして使用した場合には、ヒットした魚のサイズなどに応じて擬似的な糸の巻取り量などをコントロールすることができる。
【００２１】
なお、本発明はゲームコントローラ用の回転検出装置に限られるものではなく、操作スイッチなどに適用してもよい。
【００２２】
【発明の実施の形態】
以下、本発明の回転検出装置について図面を参照して説明する。図１は本発明の回転検出装置を示す分解斜視図、図２は本発明の回転検出装置を組み立てて筐体内に収められたときの状態を示す一部省略断面図、図３は第１の回転体を示す平面図、図４は図３の４−４線で切断したときの断面図、図５は第２の回転体を示す平面図、図６は図５の６−６線で切断したときの断面図、図７と図８は第１の回転体と第２の回転体との動作を説明するための説明図であり、それぞれ透光路が開放されている状態と遮蔽されている状態とを示す。
【００２３】
図１に示す回転検出装置１０は、回転体（第１の回転体）１と、シャッタ板（第２の回転体）２と、検出手段としてのセンサ３と、ハンドル４と、ベース部材５と、負荷部材とで構成されている。
【００２４】
回転体１は、図１乃至図４に示すように、樹脂等により形成されたディスク１ａからなり、ディスク１ａの回転中心には円形の挿通孔１ｂが形成されている。挿通孔１ｂの周縁部には、前記ディスク１ａの一面側と直交する係止突起７ａ，７ｂと小突起８ａ１，８ａ２，８ｂ１，８ｂ２とが突出して形成されている。係止突起７ａと７ｂとは互いに対向して設けられ、係止突起７ａの両脇には小突起８ａ１，８ａ２が設けられ、係止突起７ｂの両脇には小突起８ｂ１，８ｂ２が設けられている。係止突起７ａ及び小突起８ａ１，８ａ２と、係止突起７ｂ及び小突起８ｂ１，８ｂ２とが対になって、挿通孔１ｂの周縁部において対向して形成されている。
【００２５】
また係止突起７ａ，７ｂは、図３及び図４に示すように、小突起８ａ１，８ａ２，８ｂ１，８ｂ２よりも突出寸法が長く形成され、且つ係止突起７ａ，７ｂの先端には鉤状部７ａ１，７ｂ１が形成されている。この鉤状部７ａ１，７ｂ１は、その突出部分が回転体１の外周側を向いて突出して形成されている。また小突起８ａ１，８ａ２，８ｂ１，８ｂ２は、いずれも前記挿通孔１ｂの切欠曲線に倣って湾曲して形成されている。
【００２６】
また回転体１は、図１及び図３に示すように、その外周部分にディスク１ａの一面側から他面側へ貫通する複数個の透光路１ｃが放射状に形成されている。各透光路１ｃは、いずれも同じ大きさであり且つ等間隔に形成されている。
【００２７】
また回転体１の一面側には、図４に示すように、前記係止突起７ａ，７ｂが形成される面側の周縁部が全周にわたり突出して形成されて位置決め凹部１ｄとして形成されている。
【００２８】
前記シャッタ板２は、樹脂等により形成された円板状の回動部材２ａからなり、この回動部材２ａは上記位置決め凹部１ｄ内に載置可能な大きさに形成されている。
【００２９】
回動部材２ａの外周縁部には、複数個の切欠部（透光路）２ｄが放射状に形成されている。各切欠部２ｄは、前記透光路１ｃと同一数及び同一間隔に形成されている。
【００３０】
さらにシャッタ板２の回動中心には、貫通孔２ｃを有する円筒状の軸突起２ｂが突出して形成されている。またシャッタ板２には、軸突起２ｂの周囲に１対の案内孔９ａ，９ｂが軸突起２ｂを挟んで対向して形成されている。
【００３１】
案内孔９ａ，９ｂは、図５に示すように回動部材２ａの回転方向に沿って湾曲して形成されている。また案内孔９ａ，９ｂは、回転体１とシャッタ板２とが重ね合わされたときに、前記係止突起７ａ，７ｂと前記小突起８ａ１，８ａ２，８ｂ１，８ｂ２とがそれぞれ挿通される位置に形成されている。
【００３２】
さらにシャッタ板２は、図６に示すように、回動部材２ａの上記とは反対側の面から突体２ｅが突出して形成されている。また突体２ｅの周囲には、位置決め段差部２ｆが形成されている。この位置決め段差部２ｆは、回動部材２ａからの突出寸法が前記突体２ｅよりも小さく形成され且つ前記回転体１に形成された挿通孔１ｂ内に挿通されたときに摺動回転可能な大きさに形成されている。
【００３３】
前記センサ３は、例えば、ＬＥＤ（発光ダイオード）からなる発光部３ａと、ＰＤ（フォトダイオード）からなる受光部３ｂとで構成されている。またセンサ３は、前記透光路１ｃが形成されている位置に設けられ、前記回転体１の一面側に発光部３ａ、他面側に受光部３ｂが配置されている。
【００３４】
前記ハンドル４は、図１及び図２に示すように、軸部４ａと操作部４ｂとで構成されている。軸部４ａは円柱状で且つ先端に凹部４ｃが形成され、操作部４ｂは前記軸部４ａの基端に設けられている。操作部４ｂの形状は、適宜変更することができる。
【００３５】
前記ベース部材５は、支持板５ａと支持軸５ｂとで構成され、支持板５ａの前記回転体１が設けられる側に支持軸５ｂが突設されている。また支持版５ａ上の支持軸５ｂの周囲には段差部５ｃが形成されている。
【００３６】
前記負荷部材は、モータＭと減速歯車列Ｇとで構成されている。モータＭには、その主軸に歯車ｍ１が設けられ、この歯車ｍ１が減速歯車列Ｇと連結されている。減速歯車列Ｇは、大径歯車Ｇ１，Ｇ３と小径歯車Ｇ２，Ｇ４とからなり、大径歯車Ｇ１と小径歯車Ｇ２と、大径歯車Ｇ３と小径歯車Ｇ４と、がそれぞれ一体に動作するように形成されている。上記により、モータＭの歯車ｍ１が大径歯車Ｇ１と噛合され、小径歯車Ｇ４が歯車Ｇ５と噛合される。なお、前記減速歯車列Ｇの減速比は、使用形態に応じてモータの大きさや減速歯車列の径や数を適宜変更して対応することができる。
【００３７】
上記のようにして形成された回転検出装置１０は、以下に示すようにして組み立てられる。
【００３８】
すなわち、回転体１にはシャッタ板２が重ね合される。このとき回転体１に形成された係止突起７ａと小突起８ａ１，８ａ２とがシャッタ板２の案内孔９ａに挿通され、そして係止突起７ｂと小突起８ｂ１，８ｂ２とが案内孔９ｂに挿通される。これにより、前記シャッタ板２は前記係止突起７ａ，７ｂによって回転体１に確実に保持される。
【００３９】
この場合、係止突起７ａ，７ｂが案内孔９ａ，９ｂに挿通されると、係止突起７ａ，７ｂの先端の鉤状部７ａ１，７ｂ１がそれぞれ案内孔９ａ，９ｂの開口縁部に当接され、係止突起７ａ，７ｂは若干内側へ弾性変形しながら案内孔９ａ，９ｂに挿入される。そして鉤状部７ａ１，７ｂ１がそれぞれ前記案内孔９ａ，９ｂを乗り越えて突出したところで係止突起７ａ，７ｂがそれぞれ弾性復帰して、鉤状部７ａ１，７ｂ１がシャッタ板２の案内孔９ａ，９ｂの縁部に係止される。
【００４０】
また、シャッタ板２は、前記位置決め凹部１ｄ内に載置されて回転体１上でのがたつきが防止される。
【００４１】
また、案内孔９ａ，９ｂは、係止突起７ａ，７ｂと小突起８ａ１，８ａ２，８ｂ１，８ｂ２とが挿入されたときにこれらが案内孔９ａ，９ｂ内において所定の余裕角度範囲内においてスライド回転できるようにスライド方向に長めに形成されている。
【００４２】
さらに、シャッタ板２にはハンドル４が設けられている。ハンドル４の凹部４ｃには前記軸突起２ｂが挿入され、回転可能に設けられている。
【００４３】
上記した回転体１とシャッタ板２とセンサ３とハンドル４とが組み合わされた後、ベース部材５の支持軸５ｂに装着される。このとき、支持軸５ｂにはコイルばね６が装着され、さらに支持軸５ｂに回転体１の挿通孔１ｂが挿通され、さらにシャッタ板２の貫通孔２ｃが挿入される。これにより、回転体１とシャッタ板２とハンドル４とがベース部材５に対して回転可能に支持される。またコイルばね６は、図２に示すように、支持軸５ｂの基端に形成された前記段差部５ｃとシャッタ板２の突体２ｅとによって位置決めされる。
【００４４】
さらに、回転体１にはモータＭと減速歯車列Ｇとが設けられている。すなわち、モータＭにはその主軸に歯車ｍ１が設けられ、前記歯車ｍ１は大径歯車Ｇ１と噛合され、小径歯車Ｇ２は大径歯車Ｇ３と噛合され、小径歯車Ｇ４は前記回転体１に形成された歯車Ｇ５と噛合される。前記減速歯車列Ｇを用いることにより、駆動力の小さなモータであっても大きな負荷を与えることができる。
【００４５】
上記のようにして組み立てられた回転検出装置１０は、図２に示すように、例えば魚釣りゲームソフト用であれば、リールを模した筐体１５内に収納されてゲームコントローラ２０として使用することができる。
【００４６】
なお、前記コントローラ２０において、回転検出装置１０が筐体１５内に収納されるときには、図２に示すように、抜け止め板１２が設けられて回転検出装置１０が確実に筐体１５内に保持される。
【００４７】
抜け止め板１２には、前記ハンドル４が挿通可能な挿入穴１５ｂが形成されており、この挿入穴１５ｂにハンドル４が挿通されている。また抜け止め板１２の縁部は、筐体１５の内壁面に形成された係止部１５ａに係止され、さらにハンドル４の軸部４ａの先端が挿入穴１５ｂの周縁部に係止されて回転体１とシャッタ板２とハンドル４とが筐体１５内から抜け出ないようになっている。
【００４８】
また、図示していないが、前記減速歯車列Ｇは筐体１５内の所定の位置に設けられた回転軸によって回転可能に支持され、またモータＭは筐体１５内の所定の位置に固定されている。
【００４９】
また、本発明の回転検出装置１０には、ハンドル４が逆回転操作されたときにハンドル４が逆回転しないように一方向回転型のクラッチ（逆回転防止クラッチ）が設けられている。前記クラッチは、前記軸部４ａの先端面に駆動部１１ａが設けられ且つ前記軸突起２ｂの基端の前記先端面と対向する面に被駆動部１１ｂが設けられている。また図２に示すように支持版５とシャッタ板２との間にはコイルばね６が支持軸５ｂに挿通されて設けられ、これにより前記駆動部１１ａと被駆動部１１ｂとが互いに押し付けられてクラッチとして機能している。
【００５０】
これにより、ハンドル４が回転入力方向（図１に示すＷ方向）に回転させられたときには回転体１が正方向へ回転させられ、ハンドル４が前記とは逆方向へ回転させられたときには回転体１が逆方向には回転しないようになっている。なお、駆動部１１ａと被駆動部１１ｂとが対向して噛み合わせられる形状は、従来から一般的に用いられている形状でよい。
【００５１】
また、ハンドル４が正方向（Ｗ方向）へ回転させられたときには、前記駆動部１１ａと被駆動部１１ｂとが噛み合ってハンドル４とともにシャッタ板２と回転体１とが回転させられる。このときモータＭのコイルを短絡させておくと、モータＭのロータに回転抵抗力が発生してハンドル４に回転負荷が与えられる。またモータＭに前記正方向と逆向きの回転を発生するように通電されると、ハンドル４に前記正方向と逆向きの回転力が与えられる。これらの抵抗力や逆転力はゲームソフトからのフィードバック制御により行われる。そして、ハンドル４が正方向へ回転させられている途中で回転入力を中断すると、ハンドル４の回転は停止させられるが、回転体１は、モータＭのロータの慣性力を受ける。特にモータＭのコイルが短絡させられておらず、または逆向き回転の通電が行われていないときに前記慣性力が大きくなる。
【００５２】
次に、前記回転検出装置１０の回転検出動作について図７及び図８を参照して説明する。
【００５３】
前記回転検出装置１０において、ハンドル４が回転入力方向（Ｗ方向）へ回転させられている場合には、シャッタ板２は図７に示すＷ方向（正方向）へと回転させられる。この場合、係止突起７ａと小突起８ａ１，８ａ２とは、案内孔９ａに案内されてスライドし、小突起８ａ２が案内孔９ａの回転方向とは反対側の一端に当接するまでスライドさせられる。同様に、係止突起７ｂと小突起８ｂ１，８ｂ２とは、案内孔９ｂに案内されてスライドし、小突起８ｂ１が案内孔９ｂの回転方向とは反対側の一端に当接するまでスライドさせられる。上記したスライド動作により、案内孔９ａ，９ｂが回転体１の小突起８ａ２，８ｂ１を押圧しながらＷ方向へと回転させられる。なお、係止突起７ａ，７ｂは、その先端の鉤状部７ａ１，７ｂ１によってシャッタ板２に係合されており、これにより回転体１とシャッタ板２とが離れずにスライドさせられる。
【００５４】
また、ハンドル４がＷ方向へ回転させられているときには、回転体１の各透光路１ｃとシャッタ板２の各切欠部２ｄとがいずれもお互いに重なり合って回転体１の一面側から他面側へと貫通させられた状態となる。よって、センサ３の発光部（ＬＥＤなど）３ａで発光された光が前記透光路１ｃと切欠部２ｄとで形成される貫通孔を通って受光部３ｂで受光される。
【００５５】
また、ハンドル４の回転入力方向への回転入力が断たれたときに回転体１が、モータＭの短絡時には回転力（回転抵抗力）によって、またモータＭの非短絡時にはモータＭのロータの慣性力によってそのままＷ方向へ回転しようとすると、シャッタ板２の回転は停止させられるが、回転体１の回転は続行される。その結果、図８に示すように、シャッタ板２は回転体１の回転方向とは逆方向へ相対的に回動させられる。このとき係止突起７ａと小突起８ａ１，８ａ２とは、案内孔９ａに案内されて前記とは逆方向へスライドさせられ、小突起８ａ１が案内孔９ａの他端に当接するまでスライドさせられる。また係止突起７ｂと小突起８ｂ１，８ｂ２とは、案内孔９ｂに案内されて前記とは逆方向へスライドさせられ、小突起８ｂ２が案内孔９ｂの他端に当接するまでスライドさせられる。
【００５６】
上記したスライド動作により、小突起８ａ１，８ｂ２は案内孔９ａ，９ｂによってそれぞれ押圧させられる。これにより、回転体１の各透光路１ｃは、シャッタ板２の各切欠部２ｄのいずれにも重ならなくなり、前記各透光路１ｃは、切欠部２ｄと隣り合う切欠部２ｄとの間の非切欠部２ｇによって遮蔽される。よって、発光部３ａにより発光された光はシャッタ板２の非切欠部２ｇにより遮られて受光部３ｂで受光されなくなり、回転信号（光検出信号）が出力されなくなる。
【００５７】
なお、本発明の回転検出装置１０は、上記した一方向回転型のクラッチが設けられているものに限られることはなく、一方向回転型のクラッチが設けれておらず正逆両方向に回転可能なタイプの回転検出装置に適用してもよい。
【００５８】
上記の正逆両方向に回転可能なタイプの回転検出装置について図１に示す回転検出装置１０を参照して説明すると、前記回転検出装置はハンドル４の駆動部１１ａとシャッタ板２の被駆動部１１ｂとを削除して、ハンドル４がシャッタ板２に直接接合されることで構成することができ、その他の構成は前記回転検出装置１０と同様である。またモータＭや減速歯車列Ｇなどからなる負荷手段は、負荷を与える必要性がある場合に設けることができ、また負荷手段はハンドル４が逆回転させられたときに回路に損傷を与えない場合に限り搭載することができる。
【００５９】
上記タイプの回転検出装置の検出動作については、回転検出装置１０における説明と同様である。すなわち、ハンドル４が回転入力方向へ回転させられたときには、図７に示すようにシャッタ板２に対して回転力が伝達され、回転体１の係止突起７ａと小突起８ａ１，８ａ２とが案内孔９ａ内をスライド回転し、案内孔９ａの一端に当接する。また係止突起７ｂと小突起８ｂ１，８ｂ２とが案内孔９ｂ内をスライド回転し、案内孔９ｂの一端に当接する。このとき小突起８ａ２が案内孔９ａの一端に押し当てられ、小突起８ｂ１が案内孔９ｂの一端に押し当てられることにより、回転体１が回転させられる。これによって、回転体１の透光路１ｃはシャッタ板２の切欠部２ｄと重ね合わされ、発光部３ａから受光部３ｂへ光を伝達することが可能になり、ハンドル４の回転信号（光検出信号）が出力される。
【００６０】
また、ハンドル４が前記とは逆方向に回転させられたときには、ハンドル４からの逆向きの回転入力がシャッタ板２に伝達される。このときには図８に示すように、シャッタ板２の前記回転により回転体１の係止突起７ａと小突起８ａ１，８ａ２とは案内孔９ａ内を前記とは反対の端部へ当接するまでスライドし、係止突起７ｂと小突起８ｂ１，８ｂ２とは、案内孔９ｂ内を前記とは反対の端部へ当接するまでスライドする。前記スライド動作により、回転体１とシャッタ板２とが相対的に逆方向に回転させられ、回転体１に形成された複数の透光路１ｃは、いずれもシャッタ板２の切欠部２ｄと隣接する切欠部２ｄとの間の非切欠部２ｇにより遮蔽される。よって、センサ３の発光部３から発光されたＬＥＤなどの光は受光部３ｂで検出することができず、ハンドル４の回転信号は検出されなくなる。
【００６１】
また、本発明の回転検出装置の変形例を図９を参照して説明する。
図９に示す回転検出装置３０は、回転体（第１の回転体）３１とシャッタ板（第２の回転体）３２とを有している。
【００６２】
回転体３１は、ディスク３１ａからなり、ディスク３１ａの一面側には、ディスク３１ａの回転中心を通って径方向へ延びる長尺状の係止突起３１ｂが突出して形成されている。なお回転体３１に形成されている透光路３１ｃ、歯車Ｇ５、及び凹部３１ｄは、前記回転体１と同様に形成されている。
【００６３】
シャッタ板３２は、円形の回動部材３２ａからなり、その回動中心を含む部分には略四角形状の案内孔３２ｂが形成されている。前記案内孔３２ｂは、一方の対向する部分が直線３２ｂ１，３２ｂ２により形成され、他方の対向する部分が曲線３２ｂ３，３２ｂ４により形成されている。なお切欠部３２ｃは、前記シャッタ板２の切欠部２ｄと同様に形成されている。
【００６４】
またその他のハンドルやベース部材などは、その形状を適宜変更して取り付けることができる。
【００６５】
前記回転検出装置３０は、回転体３１の一面側にシャッタ板３２が設けられており、シャッタ板３２の案内孔３２ｂ内には係止突起３１ｂが挿通されて重ねられている。この場合、係止突起３１ｂの両端は、曲線３２ｂ３と曲線３２ｂ４とにそれぞれ接するようにして配設され、シャッタ板３２は回転体３１に対して回動可能に支持されている。なお、抜け止め部材などは適宜設けられる。
【００６６】
なお、回転検出装置３０において、上述したハンドル４に相当する部分はシャッタ板３２側に設けられ、ハンドル４とは反対側に前記ベース部材５に相当するベース部材が設けられている。またクラッチや負荷部材などは、使用形態に応じて設けてもよく、設けなくてもよい。
【００６７】
次に、回転検出装置３０の検出動作について説明する。
すなわち、ハンドルが回転入力方向（Ｗ方向）へ回転させられると、シャッタ板３２はＷ方向へと回転させられる。このとき係止突起３１ｂ（実線で示される部分）は、その一端が曲線３２ｂ３の直線３２ｂ２側の一端で係止され、他端が曲線３２ｂ４の直線３２ｂ１側の一端で係止される。これにより回転体３１の透光路３１ｃとシャッタ板３２の切欠部３２ｃとが重なり合って、センサにおいて光検出信号が出力される。
【００６８】
また、ハンドルの回転入力方向への回転入力が断たれて回転体３１が慣性力により回転させられ、また逆方向（Ｗとは逆方向）への回転入力が行なわれたときには、シャッタ板３２は回転入力方向とは逆方向に回転させられて回転体３１とシャッタ板３２とが相対的に逆方向に回転させられる。このとき係止突起３１ｂは、図９の一点鎖線で示すように、その一端が曲線３２ｂ３の直線３２ｂ１側の一端へと曲線３２ｂ３に沿って摺動しながら、他端が曲線３２ｂ４の直線３２ｂ２側の一端へと曲線３２ｂ４に沿って摺動しながら回転させられて係止される。その結果各透光路３１ｃは、いずれも切欠部３２ｃと隣接する切欠部３２ｃとの非切欠部によって遮断され、光検出信号の出力が行なわれなくなる。
【００６９】
なお、本発明の回転検出装置１０，３０は、上記実施の形態に示す形状に限られるものではない。また、透光路の個数やピッチなどは適宜変更することができる。
【００７０】
【発明の効果】
以上説明した本発明では、ハンドルの回転操作時に回転入力が断たれ、モータの回転力またはモータのロータの慣性力などによって回転体が回転し続けたとしても、シャッタ板が回転体の回転方向とは逆方向に相対的に回転させられることにより、回転体の透光路がシャッタ板により直ちに遮蔽されるため、ハンドル停止時に回転信号が検出されるといった誤検出が防止される。
【００７１】
また、逆向きの方向への回転操作が可能なハンドルが設けられている場合であっても、逆向き方向への回転入力を無効にして誤検出を防止することができる。
【図面の簡単な説明】
【図１】本発明の回転検出装置を示す分解斜視図、
【図２】本発明の回転検出装置を組み立てて筐体内に収められたときの状態を示す一部省略断面図、
【図３】第１の回転体を示す平面図、
【図４】図３の４−４線に沿って切断したときの断面図、
【図５】第２の回転体を示す平面図、
【図６】図５の６−６線に沿って切断したときの断面図、
【図７】第１の回転体と第２の回転体との動作を説明する説明図であり、透光路が開放されている状態、
【図８】第１の回転体と第２の回転体との動作を説明する説明図であり、透光路が遮蔽されている状態、
【図９】本発明の回転検出装置の変形例を説明するための説明図、
【図１０】従来の回転検出装置を示す分解斜視図、
【符号の説明】
Ｇ  減速歯車列
Ｍ  モータ
１  回転体（第１の回転体）
１ａ  ディスク
１ｃ  透光路
１ｄ  位置決め凹部
２  シャッタ板（第２の回転体）
２ｂ  軸突起
２ｄ  切欠部
２ｇ  非切欠部
３  センサ
３ａ  発光部
３ｂ  受光部
４  ハンドル
４ａ  軸部
４ｂ  操作部
６  コイルばね
７ａ，７ｂ  係止突起
８ａ１，８ａ２，８ｂ１，８ｂ２  小突起
９ａ，９ｂ  案内孔
１０  回転検出装置
１２  抜け止め板
【図１】
0003623707.tif 000002
【図２】
0003623707.tif 000003
【図３】
0003623707.tif 000004
【図４】
0003623707.tif 000005
【図５】
0003623707.tif 000006
【図６】
0003623707.tif 000007
【図７】
0003623707.tif 000008
【図８】
0003623707.tif 000009
【図９】
0003623707.tif 000010
【図１０】
0003623707.tif 000011